(57)【特許請求の範囲】
【請求項１】
時計ストラップを時計ケーシングに取り付ける装置であって、該装置が、時計ストラップの端部が取り付けられる中間要素を有し、該中間要素が、中間要素の側面及びラグの内面の補足的な形成部で摺動することによって時計ケーシングのラグの間に受け入れられるようになっており、前記中間要素が、時計ストラップと直交する軸線に枢着され、且つ弾性作用を受けるフラップを有し、該フラップは係止ノーズを有し、該ノーズは、前記中間要素がケーシングのラグ間に導入された使用位置にあるとき、前記弾性作用によって時計ケーシングの端面の係止面に当てられることを特徴とする装置。
【請求項２】
中間要素が、その側面にリブを有し、該リブは、ラグの内面に設けられた溝に係合するようになっていることを特徴とする請求項１記載の装置。
【請求項３】
ケーシングの端面が、傾斜した係止面を含む凹部を有することを特徴とする請求項１又は請求項２記載の装置。
【請求項４】
弾性作用が、フラップの枢軸のまわりに配置されたコイルばねによって構成されることを特徴とする請求項１乃至請求項３のいずれか１項に記載の装置。
【請求項５】
中間要素の上面が、使用位置では、ラグの上面の延長部内に位置することを特徴とする請求項１乃至請求項４のいずれか１項に記載の装置。
【請求項６】
時計ストラップが、該時計ストラップの両端のうちの少なくとも一方に取り付けられる少なくとも１つの中間要素を有し、該中間要素は、その側面に時計ケーシングのラグの側面の対応する形成部で摺動可能に受け入れられるすべり路を有し、前記中間要素は、前記時計ストラップと直交する軸線に枢着され且つ弾性作用を受けるフラップを有し、前記フラップは係止ノーズを有し、該係止ノーズは、前記中間要素がケーシングのラグ間に導入された使用位置にあるとき、前記弾性作用によって時計ケーシングの端面の係止面に当てられることを特徴とする時計ストラップ。
【発明の詳細な説明】
【０００１】
【発明の属する技術分野】
本発明は、時計ケーシングの時計ストラップ、特に金属製又は、例えば革又はゴムの非金属製の時計ストラップの取付装置に関する。
【０００２】
【従来の技術】
時計ストラップを時計ケーシングに取り付ける装置は、例えば国際公開第９８／２１６３０号、国際公開第９９／３６８３８号及びスイス特許第６１４５８９号より知られている。国際公開第９８／２１６３０号は、時計ケーシングのラグ間にそれ自身受け入れられ、ピンの助けをかりて時計ケーシングに取り付けられる中間要素に、普通の方法で取り付けられたブレスレットを開示している。中間要素の存在にもかかわらず、時計ストラップの取り付け及び取り外しは、中間要素をケーシングのラグに連結するピンを引き抜き或いは押し戻すのに工具の使用を必要とする。
【０００３】
このような取付けの欠点は、時計ストラップを交換するための工具を用いる必要性から持ち上がり、且つ又時計ストラップを中間要素に取付けるピン並びにこの中間要素を時計ケーシングのラグに取り付けるピンが、見えており、時計の外観を損なう。
【０００４】
国際公開第９９／３６８３８号は、工具なしで時計ストラップを時計ケーシングにすばやく取付ける装置を開示している。この装置は、時計ケーシングに取り付けられ、且つこの時計ケーシングに対して摺動又は廻すことができる第１中間要素を有する。第１中間要素が時計ケーシングに対して取り付け位置にあるとき、時計ストラップが取り付けられる第２中間要素が、第１中間要素に係合することができる。この第１中間要素の時計ケーシングに対する通常の使用状態では、第２中間要素が第１中間要素に連結された位置で係止される。
【０００５】
この実施形態は複雑であり、金属製の時計ストラップを容易に取り付けることができず、且つ第１中間要素及び第２中間要素の不意な分離を防止しない。
【０００６】
第３の公報、即ちスイス特許第６１４５８９号は、時計ケーシングのラグがヒンジを備え、該ヒンジが、ヒンジの端及びヒンジの内面で開放した長手方向の凹部を有していることを開示する。ブレスレッドが横棒に取り付けられ、その棒の断面は、所定角度位置で時計ケーシングのヒンジの凹部に導入される切頭円筒体の形状を有する。この棒のヒンジに対するあらゆる他の角度については、棒はヒンジ内に捕捉される。しかしながら、時計ストラップは時計ケーシングから偶然分離することがある。
【０００７】
【発明が解決しようとする課題】
本発明の目的は、いかなるタイプの時計ストラップも工具なしで時計ケーシングに迅速且つ確実に取付けることを可能にし、同時に時計ストラップが偶然に又時ならぬ時に時計から分離するのを回避することである。また、本発明の目的は、見える要素又は機構がなく、部品の外観を損なわない、時計ストラップを時計ケーシングに取り付けるための装置を提供することにある。
【０００８】
他の目的は、使用者が工具なしで時計ケーシングに簡単に取り付けることができ、且つ偶然な分離を回避するアクセサリーの形態で、あらゆるタイプのブレスレット単独の販売を可能にすることにある。
【０００９】
【課題を解決するための手段】
本発明は、この目的のために、請求項１に記載の特徴を有する時計ストラップを時計ケーシングに取り付けるための装置を有する。
【００１０】
【発明の実施の形態】
添付図面は、本発明による、時計ストラップを時計ケーシングに取り付けるための装置の実施形態を概略的に例示として示す。
【００１１】
本発明による取付装置は、革製又は金属製の時計ストラップの端部が在来方法で取り付けられる中間要素１を有し、この中間要素は、時計ケーシング２に連結されるように形成されている。
【００１２】
図示した例では、中間要素１は、端がリンク３の外側からは見えないピンの助けをかりて、金属時計ストラップの最後のリンク３に連結される。
【００１３】
時計ケーシング１にはラグ４が設けられ、ラグ４はその向かい合い面に溝５を有し、溝５はラグ４の下面６で開口するが、ラグ４の上面では開口していない。時計ケーシング１又はその本体の端面７は、傾斜した係止面９によって下向きに画定された凹部８をラグ４の間に有する。
【００１４】
中間要素１は、一般にケーシング２の２つのラグ４の間に含まれる空間の形状を有するブロックで構成される。この中間要素１は、これらの側面にリブ１０を有し、リブ１０は、中間要素１がケーシング２に連結されるときラグ４の溝５に係合するようになっている。
【００１５】
この中間要素１は、ケーシング２に連結された位置では、ラグ４の間の空間を占有し、ケーシング−時計ストラップ組立体に所望の外観を与えることを可能にする。
【００１６】
この中間要素は、下面及びケーシング２の端面の方に向けられた面で開口した凹部を有し、この凹部内で、係止フラップ１１が、端部が中間要素１の孔１３内に配置されるピン１２に枢動自在に取り付けられる。係止フラップ１１は、凹部１４を有し、この凹部内にピンの中央部分を取り囲むコイルばね１５が設けられ、係止フラップ１１はピンに関節連結され、中間要素１がケーシング２のラグ４に連結される中間要素１の使用位置では、コイルばね１５の一方の端は前記フラップに当たり、他方の端はケーシング２の係止面９に当たる。このばね１５は、フラップ１１の係止ノーズ１６をケーシング２の係止面９に当てる傾向がある。
【００１７】
かくして、中間要素１がケーシング２のラグ４の間に完全に係合されるとき、フラップ１１の係止ノーズ１６は、ばね１５によってケーシング２の係止面９に当てられ、この中間要素１が、時ならぬ時に又は不本意にケーシング２から分離することはない。
【００１８】
おろらくは、時計ストラップを変えるために、中間要素をケーシングから分離し、それ故に時計ストラップをこのケーシングから分解するには、使用者がフラップ１１をケーシング２の端面の方向に移動させて、係止ノーズ１６をケーシングの係止面９から引っ込めることが必要である。フラップ１１を作動した後にのみ、中間要素１をケーシング２から分離することができる。
【００１９】
分かるように、この取付装置は、大変簡単、且つ頑丈で、機械加工が容易である。取付装置は、時計ストラップを時計ケーシングに又時計ケーシングから容易に工具無しで連結したり、連結を外したりすることを可能にするが、係止により、中間要素１のケーシング２からの時ならぬ時の又は不本意な分離を防止する。
【００２０】
さらに、連結及び係止機構部材は、時計ストラップの時計ケーシングの上から又は側面からは見えない。実際には、工具なしで大変簡単に、使用者自身で時計ストラップを交換することができるように中間要素１に連結した、交換可能な時計ストラップを売ることができる。
【００２１】
この装置を、金属製、非金属製、革製、プラスチック材料製、ゴム製等の時計ストラップの取付に使用することができるのは明らかである。
【００２２】
いかなるタイプの時計ストラップも上述の中間要素に在来の方法で取り付けて、時計ケーシングに取り外し自在に取り付けることができる。
【図面の簡単な説明】
【図１】取付装置の分解斜視図である。
【図２】取付装置によって時計ストラップに組み立てられた時計の平面図である。
【図３】図２の線Ａ−Ａの拡大断面図である。
【図４】図２の線Ｂ−Ｂの拡大断面図である。
【図５】図３の線Ｃ−Ｃの拡大断面図である。
【符号の説明】
１  時計ケーシング
３  リンク
４  ラグ
５  溝
８  凹部
９  係止面
１０  リブ
１１  係止フラップ
１２  ピン
１３  孔
１４  凹部
１５  コイルばね
１６  係止ノーズ
【図１】
0003593044.tif 000002
【図２】
0003593044.tif 000003
【図３】
0003593044.tif 000004
【図４】
0003593044.tif 000005
【図５】
0003593044.tif 000006